(57)【要約】【課題】業務中に座って作業する事で起きる痛みや疾患を改善させ、更に作業効率を上げ健康になることを目標とする業務用の椅子に代わる、立って作業をするための体を支える補助具を提供する。【解決手段】自立する１メートルほどのスタンドに座台と背もたれを設け立って使用する、立位姿勢用机を使うための、立つ為の補助具で、だれでも簡単に、そして単独でも使用できることを特徴とする。【選択図】図６
2019181124.tif 000002
【特許請求の範囲】
【請求項１】
自立する１メートルほどのスタンドに設置した座台を骨盤の間に差し入れ背骨の尾骨部分を乗せ、背骨の腰椎部分を支える背もたれを設け立って使用する、立位姿勢用机に使用する業務用の立つ為の補助具。
【請求項２】
業務用事務用以外など、机を使わず単独で使用する［請求項１］の立つ為の補助具。
【発明の詳細な説明】
【技術分野】
【０００１】    この発明は業務用の椅子の代わりとなる、作業効率を上げ健康の改善維持を目的とした、立位姿勢用机に使用する業務用の立つ為の補助具に関するものである。
【背景技術】
【０００２】  現在は業務の際には椅子に座り作業する以外の方法は考えられておらず、座って作業すると頭を含む上半身の重みが腰椎に負担をかけ、同じ姿勢で作業を長時間続けると痛みや疾患の要因となり、悪化しても完治せずにマッサージなどで治療しながら我慢して業務に携わっている人も多いのが現状である。
また、補助具なしに立って作業しても腰の位置が左右前後にぶれるので疲労の原因になり片足立ちを交互に行うようになり、バランスを崩すので骨盤傾斜などの症状を起し痛みの要因になる。結果作業効率も悪くなる。
この書類における作業の定義として執筆、業務中における帳簿などの事務や電話対応等通話、パソコン作業タブレット端末類の操作を含み、将来的な観点でゲーム等のＶＲ機器などの操作において場所の移動を必要としない作業を指すものとする。また、長時間とは２時間以上連続で行い半年以上周期的に継続しているものを指す。
【発明の概要】
【発明が解決しようとする課題】
【０００３】  本発明を考える基になったのは肩こりやエコノミー症候群などの長時間の座る事が起因の疾患の予防対策である。長時間座ると体重が骨盤を後傾化させる傾向があり、骨盤や臀部の重みが太腿静脈やリンパ管を圧迫して下半身のむくみや、冷え性を引き起こす。
また、バランスの悪い崩れた座り方は腰椎の歪みやすべりを起こし炎症を引き起こす。
対処法は、まっすぐに立ち姿勢を崩さず保つ。血流やリンパの流れを滞らさなければ痛みや炎症は起きない。しかし、実際には直立姿勢はそんなに長く保てないので斜めに立ってしまう。
解決にはこまめな休息と運動だが、実際は一番休息と運動が必要な人ほど、本人が望んでもなかなか実行にうつせないのが現状であることを課題とする。
【問題を解決するための手段】
【０００４】  本発明品は立つ為の補助具として座台と背もたれから成り、それらを取り付けるスタンドとその他の付属品で構成される。
スポーツ自転車のサドルの前２／３ほどを切り落した様な形状の（１）座台（シート）と背骨の腰椎部を後ろから軽く支える長さ２０センチ程の（２）腰椎用の背もたれを自立する高さ１メートル程の（３）スタンドの上部に設置し高さを調節してから固定できるようにした。また、膝の前下側から膝下を支える（４）膝下パッドを装着した。
【発明の効果】
【０００５】  直立の姿勢で後ろから（１）座台（シート）を骨盤の間に差し入れ背骨の尾骨辺りを乗せると、骨盤が前後左右にぶれないので膝を折らなければ三脚のような状態になるので骨盤が前傾しその作用で垂直にまっすぐ伸びた背骨が（２）腰椎用の背もたれと（１）座台（シート）で支えられ三脚の上に２か所で押さえた上半身を置くのと同様な状態になるので重力が分散するので力を抜いて立つことができ、踵や足裏にかかっていた重さが軽減されるので疲れにくい。尾骨は小さくても背骨の一番下で姿勢をコントロールする役目をはたしているのでここを支えることで以上のような作用が維持できる。
腰のうしろに包むように当てた（２）腰椎用の背もたれは足腰の痛みや冷えによる下痢などを緩和させ泌尿生殖器系の働きをアップさせるツボを冷やさないように作用させる。
血流もリンパも滞りなく流れるので血行も良くなり健康な体質を作る役に立つ。
長時間補助具なしで立つよりも疲れにくく、集中でき作業の能率も上がる。
【図面の簡単な説明】
【０００６】
【図１】本発明の正面図である。
【図２】本発明の側面図である。
【図３】本発明の使用例の正面図である。
【図４】本発明の使用例の側面図である。
【図５】本発明の使用例の平面図である。
【図６】本発明の斜視図である。
【発明を実施するための形態】
【０００７】  本発明品を使用するには（１）座台（シート）と（２）腰椎用の背もたれを背にしてまっすぐ両足を伸ばした状態で立ち股関節の最上部に高さを調節し固定する。
背骨の尾骨部分を垂直に（１）座台（シート）の上に乗せ（２）腰椎用の背もたれに背骨を当てる。（４）膝下パッドを使用する場合には軽く当てる程度に調節し固定する。
【実施例】
【０００８】  本発明品の立位姿勢用机に使用する立つ為の補助具は、今現実に座ることが身体的に辛い状態でありながら座って作業することを余儀なくされている方々に、疲れずに立って作業に取り組み体調を改善してもらうのが目的で、また健康で丈夫な人も活発に励むために、健康を保持し能率を上げ、腰痛や肩こりなど予防改善できる効果がある。本発明品を使用して何日かすると、普段から運動しない人はふくらはぎやお尻の筋肉が少し痛むかもしれない。骨盤の引き締めや内臓を引き上げ支えるのに立つ為の筋肉が段々とできるためだ。体の代謝にも関わる筋肉が改善されて出すシグナルなので、健康になった成果である。背骨がまっすぐ伸びたまま作業できるので猫背を改善し肩こりや頭痛の体質改善になる効果もある。
【産業上の利用可能】
【０００９】  この発明に至ったのは、最近騒がれていた痴漢などの車両内での犯罪の起る状況は乗車率が高すぎることも原因だと思ったことである。この補助具は下半身が安定しているので揺れにはバランスを保ちやすい特性があり、補助具に手すりや体を固定するベルトなど安全具を付けて車輛用途に開発利用すれば、将来の満車での車両の乗車率を９９％以下に抑える可能性を高め、結果スリやその他の車両内のトラブルや犯罪の撲滅にも繋がるものと考える。
産業の一部となって働く人たちの中には作業を監視したり必要とされてその場所で長時間立つ職種の人はとても多いので使用用途の可能性は無限といえるだろう。
立って作業をするので、疲れたら座ったり寝そべって休憩をとれば、メリハリがきいたリフレッシュ効果が作業効果をさらに上げるだろう。休憩までに行う作業の目標をたてやすいので効率が良くなるのは必然である。考え事などではなく、効率を求めるような種類の作業に適した立位姿勢用机に使用する業務用の立つ為の補助具である。
【符号の説明】
【００１０】  （１）座台（シート）
（２）腰椎用の背もたれ
（３）スタンド
（４）膝下パッド
【図１】
2019181124.tif 000003
【図２】
2019181124.tif 000004
【図３】
2019181124.tif 000005
【図４】
2019181124.tif 000006
【図５】
2019181124.tif 000007
【図６】
2019181124.tif 000008